(57)【要約】【課題】垂直ポールと水平ポールとの両方に取り付け可能な電子機器を提供する。【解決手段】増幅器１００Ａを水平ポールに固定する場合に使用される水平取付部は、増幅器１００Ａの本体部１２０の背面１２１に沿って延びる底壁面２０１と、背面１２１から離れる方向に底壁面２０１から延び、かつ増幅器１００Ａの上下方向に延びる第一直壁面２０２と、第一直壁面２０２と間隔を空けて対向して増幅器１００Ａの上下方向に延びる第二直壁面２０３と、第一直壁面２０２と第二直壁面２０３との両方に連結されるとともに底壁面２０１から離れて設けられたブリッジ部２１１とを有している。【選択図】図２
0003197504.tif 000002
【実用新案登録請求の範囲】
【請求項１】
本体部と、
前記本体部の背面に設けられた固定部とを備える、電子機器であって、
前記固定部は、前記電子機器を垂直ポールに固定する場合に使用される垂直取付部と、前記電子機器を水平ポールに固定する場合に使用される水平取付部とを含み、
前記水平取付部は、前記背面に沿って延びる底壁面と、前記背面から離れる方向に前記底壁面から延び、かつ前記電子機器の上下方向に延びる第一直壁面と、前記第一直壁面と間隔を空けて対向して前記電子機器の上下方向に延びる第二直壁面と、前記第一直壁面と前記第二直壁面との両方に連結されるとともに前記底壁面から離れて設けられたブリッジ部とを有する、電子機器。
【請求項２】
前記水平取付部は、前記底壁面と間隔を空けて対向して前記電子機器の上下方向に延び、前記第一直壁面から離れる方向に前記第二直壁面から延びる、対向壁面を有し、
前記対向壁面の上端部分に、前記底壁面へ向かって突起する係止突起が設けられている、請求項１に記載の電子機器。
【請求項３】
前記底壁面と前記対向壁面との間に、前記電子機器の上下方向に延びる中空の収容空間が形成され、
前記収容空間の下方に、前記固定部が上方へ向かって窪んだ窪み部が形成されている、請求項２に記載の電子機器。
【請求項４】
前記窪み部よりも前記第一直壁面の近くに、前記固定部が下方へ突起した受け突起が設けられている、請求項３に記載の電子機器。
【考案の詳細な説明】
【技術分野】
【０００１】
本考案は、電子機器に関する。
【背景技術】
【０００２】
従来、建物の外部に設けられた垂直のマストに増幅器を取り付ける技術が提案されている（たとえば、特開２０１２−２２２５９２号公報（特許文献１）参照）。
【先行技術文献】
【特許文献】
【０００３】
【特許文献１】特開２０１２−２２２５９２号公報
【考案の概要】
【考案が解決しようとする課題】
【０００４】
近年、ベランダに設けられた手摺、またはパラボラアンテナ用取付金具の水平のパイプなど、水平方向に延びるポールに増幅器を取り付ける要求がある。一方、増幅器は、接続端子を下向きに取り付ける必要がある。特開２０１２−２２２５９２号公報（特許文献１）に記載の技術では、接続端子が下向きになるように増幅器を水平ポールに取り付けることは不可能であった。
【０００５】
本考案の目的は、垂直ポールと水平ポールとの両方に取り付け可能な電子機器を提供することである。
【課題を解決するための手段】
【０００６】
本考案に係る電子機器は、本体部と、本体部の背面に設けられた固定部とを備えている。固定部は、電子機器を垂直ポールに固定する場合に使用される垂直取付部と、電子機器を水平ポールに固定する場合に使用される水平取付部とを含んでいる。水平取付部は、背面に沿って延びる底壁面と、背面から離れる方向に底壁面から延び、かつ電子機器の上下方向に延びる第一直壁面と、第一直壁面と間隔を空けて対向して電子機器の上下方向に延びる第二直壁面と、第一直壁面と第二直壁面との両方に連結されるとともに底壁面から離れて設けられたブリッジ部とを有している。
【０００７】
上記電子機器において、水平取付部は、底壁面と間隔を空けて対向して電子機器の上下方向に延び、第一直壁面から離れる方向に第二直壁面から延びる、対向壁面を有している。対向壁面の上端部分に、底壁面へ向かって突起する係止突起が設けられている。
【０００８】
上記電子機器において、底壁面と対向壁面との間に、電子機器の上下方向に延びる中空の収容空間が形成されている。収容空間の下方に、固定部が上方へ向かって窪んだ窪み部が形成されている。
【０００９】
上記電子機器において、窪み部よりも第一直壁面の近くに、固定部が下方へ突起した受け突起が設けられている。
【考案の効果】
【００１０】
本考案の電子機器は、垂直ポールと水平ポールとの両方に取り付けることができる。
【図面の簡単な説明】
【００１１】
【図１】本考案の実施形態における増幅器の斜視図である。
【図２】図１に示す増幅器の背面から見た斜視図である。
【図３】図１に示す増幅器の背面図である。
【図４】図３中に示すＩＶ−ＩＶ線に沿う増幅器の断面図である。
【図５】図４中に示す領域Ｖを拡大して示す断面図である。
【図６】増幅器に取付具を取り付ける動作の第１ステップを示す斜視図である。
【図７】増幅器に取付具を取り付ける動作の第１ステップを示す背面図である。
【図８】増幅器に取付具を取り付ける動作の第２ステップを示す斜視図である。
【図９】増幅器に取付具を取り付ける動作の第２ステップを示す背面図である。
【図１０】増幅器に取付具を取り付ける動作の第３ステップを示す斜視図である。
【図１１】増幅器に取付具を取り付ける動作の第３ステップを示す背面図である。
【図１２】増幅器に取付具を取り付ける動作の第４ステップを示す斜視図である。
【図１３】増幅器に取付具を取り付ける動作の第４ステップを示す背面図である。
【図１４】増幅器に取付具を取り付ける動作の第５ステップを示す斜視図である。
【図１５】増幅器に取付具を取り付ける動作の第５ステップを示す背面図である。
【図１６】増幅器に取付具を取り付ける動作の第６ステップを示す斜視図である。
【図１７】増幅器に取付具を取り付ける動作の第６ステップを示す背面図である。
【図１８】増幅器に取付具を取り付ける動作の第７ステップを示す斜視図である。
【図１９】増幅器に取付具を取り付ける動作の第７ステップを示す背面図である。
【図２０】図１９中に示すＸＸ−ＸＸ線に沿う増幅器の断面図である。
【図２１】図２０中に示す領域ＸＸＩを拡大して示す断面図である。
【図２２】実施形態の増幅器を水平ポールに取り付けた状態を示す斜視図である。
【図２３】実施形態の増幅器を垂直ポールに取り付けた状態を示す斜視図である。
【考案を実施するための形態】
【００１２】
以下、図面に基づいて本考案の実施の形態を説明する。以下に示す実施形態においては、電子機器として増幅器１００Ａを例示して説明を行なう。なお、以下の図面において、同一または相当する部分には同一の参照番号を付し、その説明は繰返さない。
【００１３】
図１は、本考案の実施形態における増幅器１００Ａの斜視図である。図１に示すように、本実施形態における増幅器１００Ａは、筐体１１０を備えている。筐体１１０は、偏平な略直方体形状の外形を有している。筐体１１０は、その内部に、増幅回路ユニットを収容している。増幅回路ユニットは、テレビジョン信号に代表される高周波伝送信号の入力を受け、これを増幅して出力するためのユニットである。増幅回路ユニットは、３つの同軸接栓座からなる接続端子１５１，１５２，１５３を備えている。
【００１４】
筐体１１０は、本体部１２０および蓋体部１３０を含んでいる。蓋体部１３０が本体部１２０の開口部を覆って配置されており、これにより、図１に示す箱形状の筐体１１０が形成されている。
【００１５】
増幅器１００Ａは、接続端子１５１〜１５３の設けられた面が鉛直下方を向くように、建物の外部に設置される。そのため、増幅器１００Ａの設置後の状態に合わせて、筐体１１０の接続端子１５１〜１５３が設けられた面を底面（下面）と定義し、蓋体部１３０が開閉する側の筐体１１０の面を正面（前面）と定義する。これら定義に従って、天面（上面）、右側面、左側面および背面（後面）をそれぞれ定義する。
【００１６】
筐体１１０の底面（下面）を構成している本体部１２０の下面には、左右方向に沿って３つの開口部が並べて設けられている。これら３つの開口部に、接続端子１５１〜１５３がそれぞれ挿通配置されている。これにより接続端子１５１〜１５３は、筐体１１０の外部に突出して配置されている。
【００１７】
筐体１１０の右側面および左側面を構成している蓋体部１３０の外側面の各々には、その後方縁に沿った上端近傍の位置に孔部１３５が形成されている。本体部１２０には孔部１３５に対応する一対の軸部が設けられており、これら軸部がそれぞれ孔部１３５に挿入されている。これにより蓋体部１３０は、本体部１２０に対して回動可能に取り付けられている。蓋体部１３０が本体部１２０に対して相対回転することにより、筐体１１０の開閉が行なわれる。本体部１２０および１３０には、蓋体部１３０が閉じた状態を維持するための係止機構１３６が設けられている。
【００１８】
本体部１２０の下端寄りの位置には、増幅器１００Ａを建物の外壁に固定する場合に使用される壁面用固定部１４０が左右に一対設けられている。一対の壁面用固定部１４０のそれぞれは、本体部１２０の後方かつ下方に向けて突出して設けられている。壁面用固定部１４０の各々には、ビス１４１が予め僅かに挿し込まれている。増幅器１００Ａが建物の外壁に固定される場合には、当該ビス１４１が壁面用固定部１４０に締め込まれる。これにより、本体部１２０が建物の外壁に固定され、増幅器１００Ａが建物の外壁に設置される。
【００１９】
図２は、図１に示す増幅器１００Ａの背面から見た斜視図である。図３は、図１に示す増幅器１００Ａの背面図である。図３中の上下方向が、増幅器１００Ａの上下方向を示している。図３中の左右方向が、増幅器１００Ａの左右方向を示している。図３中の紙面垂直方向が、増幅器１００Ａの前後方向を示している。
【００２０】
図２，３に示すように、増幅器１００Ａの本体部１２０は、背面１２１を有している。背面１２１の略中央部には、固定部２００が設けられている。固定部２００は、建物の外部に設けられたポールに増幅器１００Ａを固定する場合に用いられる。固定部２００は、本体部１２０の背面１２１から後方に向けて突出して設けられている。
【００２１】
固定部２００は、増幅器１００Ａを垂直ポールに固定する場合に使用される垂直取付部と、増幅器１００Ａを水平ポールに固定する場合に使用される水平取付部とを含んでいる。
【００２２】
固定部２００には、中空の通路２５１が形成されている。通路２５１は、増幅器１００Ａの左右方向に延びている。通路２５１は、垂直取付部に含まれている。後述する取付具が通路２５１内を左右方向に延びて配置されて、取付具が固定部２００に取り付けられることにより、増幅器１００Ａの垂直ポールへの固定が可能になる。
【００２３】
水平取付部は、底壁面２０１と、第一直壁面２０２と、第二直壁面２０３と、ブリッジ部２１１とを有している。
【００２４】
底壁面２０１は、本体部１２０の背面１２１に沿って延びている。底壁面２０１は、増幅器１００Ａの左右方向に延び、かつ、増幅器１００Ａの上下方向に延びている。第一直壁面２０２は、本体部１２０の背面１２１から離れる方向に、底壁面２０１から延びている。第一直壁面２０２は、増幅器１００Ａの前後方向に延び、かつ、増幅器１００Ａの上下方向に延びている。第一直壁面２０２は、底壁面２０１に対して垂直に延びている。
【００２５】
第二直壁面２０３は、底壁面２０１から離れて設けられている。第二直壁面２０３は、増幅器１００Ａの前後方向に延び、かつ、増幅器１００Ａの上下方向に延びている。第二直壁面２０３は、第一直壁面２０２と間隔を空けて対向している。第二直壁面２０３は、底壁面２０１に対して垂直に延びている。第二直壁面２０３は、第一直壁面２０２と平行に延びている。第一直壁面２０２と第二直壁面２０３との間に、増幅器１００Ａの上下方向に延びる中空の通路２１０が形成されている。
【００２６】
ブリッジ部２１１は、第一直壁面２０２の下端において、第一直壁面２０２に連結されている。ブリッジ部２１１は、第二直壁面２０３の下端において、第二直壁面２０３に連結されている。ブリッジ部２１１は、第一直壁面２０２と第二直壁面２０３との両方に連結されている。ブリッジ部２１１は、底壁面２０１から離れて配置されている。ブリッジ部２１１と底壁面２０１との間に中空空間が形成されており、当該空間は通路２１０の一部を構成している。
【００２７】
水平取付部はまた、対向壁面２０４と、第三直壁面２０５とを有している。対向壁面２０４は、底壁面２０１と間隔を空けて対向している。対向壁面２０４は、底壁面２０１と平行に延びている。対向壁面２０４は、増幅器１００Ａの左右方向に延び、かつ、増幅器１００Ａの上下方向に延びている。対向壁面２０４は、第一直壁面２０２から離れる方向に、第二直壁面２０３から延びている。対向壁面２０４は、第一直壁面２０２に対して垂直に延び、かつ、第二直壁面２０３に対して垂直に延びている。
【００２８】
第三直壁面２０５は、本体部１２０の背面１２１から離れる方向に、底壁面２０１から延びている。第三直壁面２０５は、増幅器１００Ａの前後方向に延び、かつ、増幅器１００Ａの上下方向に延びている。第三直壁面２０５は、底壁面２０１および対向壁面２０４に対して垂直に延びている。第三直壁面２０５は、第一直壁面２０２および第二直壁面２０３と平行に延びている。
【００２９】
底壁面２０１と対向壁面２０４との間に、中空の収容空間２２０が形成されている。収容空間２２０は、底壁面２０１、対向壁面２０４および第三直壁面２０５によって、三方を規定されている。収容空間２２０は、通路２１０と連通している。収容空間２２０は、増幅器１００Ａの上下方向に延びている。後述する取付具が収容空間２２０内に収容され、取付具が上下方向に延びて配置されて、取付具が固定部２００に取り付けられることにより、増幅器１００Ａの水平ポールへの固定が可能になる。
【００３０】
水平取付部はさらに、窪み部２３０と、受け突起２３１とを有している。窪み部２３０は、固定部２００の下端部の一部が上方へ向かって窪んで形成されている。窪み部２３０は、上述した収容空間２２０の下方に形成されている。受け突起２３１は、固定部２００の下端部の一部が下方へ突起して設けられている。受け突起２３１は、窪み部２３０よりも第一直壁面２０２の近くに設けられている。増幅器１００Ａの左右方向において、受け突起２３１は、窪み部２３０と第二直壁面２０３との間に形成されている。
【００３１】
固定部２００の背面には、垂直ポールを受け入れる垂直溝部２５０が、増幅器１００Ａの上下方向に沿って設けられている。固定部２００の背面には、水平ポールを受け入れる水平溝部２４０が、増幅器１００Ａの左右方向に沿って設けられている。
【００３２】
図４は、図３中に示すＩＶ−ＩＶ線に沿う増幅器１００Ａの断面図である。図５は、図４中に示す領域Ｖを拡大して示す断面図である。図４，５には、増幅器１００Ａの上下方向に直交する平面によって、第二直壁面２０３および対向壁面２０４の上端部分において、増幅器１００Ａを仮想的に切断した切断面を上方から見た状態が図示されている。
【００３３】
図４，５を参照して、上述した通り、第一直壁面２０２と第二直壁面２０３との間には、中空の通路２１０が形成されている。底壁面２０１と対向壁面２０４との間には、底壁面２０１、対向壁面２０４および第三直壁面２０５によって三方を囲まれた収容空間２２０が形成されている。
【００３４】
対向壁面２０４には、対向壁面２０４の一部が底壁面２０１へ向かって突起する係止突起２２１が形成されている。係止突起２２１は、対向壁面２０４の上端部分に形成されている。係止突起２２１が底壁面２０１へ近づく方向に対向壁面２０４から突起しているので、増幅器１００Ａの前後方向における係止突起２２１の頂部と底壁面２０１との距離は、底壁面２０１と対向壁面２０４との距離よりも小さくなっている。
【００３５】
以下、増幅器１００Ａに取付具３００を取り付ける動作について説明する。図６は、増幅器１００Ａに取付具３００を取り付ける動作の第１ステップを示す斜視図である。図７は、増幅器１００Ａに取付具３００を取り付ける動作の第１ステップを示す背面図である。図６に示すように、本実施形態の取付具３００は、全体として、角張ったＵ字状の形状を有している。取付具３００は、連結部３０１と、第一腕部３０２と、第二腕部３０３とを有している。
【００３６】
連結部３０１は、一方向に延びる棒状の形状を有している。連結部３０１の一端に第一腕部３０２が設けられている。連結部３０１の他端に第二腕部３０３が設けられている。第一腕部３０２は、連結部３０１の延びる方向に対して直交する方向に延びている。第二腕部３０３は、連結部３０１の延びる方向に対して直交する方向に延びている。第一腕部３０２と第二腕部３０３とは、互いに平行に延びている。
【００３７】
第一腕部３０２の先端部分には、複数の環状溝が形成されている。第二腕部３０３の先端部分には、雄ネジが形成されている。
【００３８】
増幅器１００Ａに取付具３００を取り付ける動作の第１ステップにおいては、取付具３００は、図６，７に示すように、増幅器１００Ａの下方に配置される。このとき、取付具３００の第二腕部３０３の先端が増幅器１００Ａの底面に向くように、取付具３００が配置される。
【００３９】
図８は、増幅器１００Ａに取付具３００を取り付ける動作の第２ステップを示す斜視図である。図９は、増幅器１００Ａに取付具３００を取り付ける動作の第２ステップを示す背面図である。増幅器１００Ａに取付具３００を取り付ける動作の第２ステップにおいては、図８，９に示すように、取付具３００の第二腕部３０３を、第一直壁面２０２と第二直壁面２０３との間の通路２１０に、下方から挿通する。第二腕部３０３は、底壁面２０１とブリッジ部２１１との間を通って、増幅器１００Ａの上方へ向けて、通路２１０へ挿通される。
【００４０】
この状態で第一腕部３０２と第二腕部３０３とは、本体部１２０の背面１２１に沿って、上下方向に延びている。連結部３０１は、背面１２１に対して垂直に延び、増幅器１００Ａの前後方向に延びている。
【００４１】
図１０は、増幅器１００Ａに取付具３００を取り付ける動作の第３ステップを示す斜視図である。図１１は、増幅器１００Ａに取付具３００を取り付ける動作の第３ステップを示す背面図である。増幅器１００Ａに取付具３００を取り付ける動作の第３ステップにおいては、図１０，１１に示すように、連結部３０１と第二腕部３０３との連結部分を回転中心として、取付具３００を回転する。これにより、第２ステップで通路２１０内に収容されていた第二腕部３０３が、本体部１２０の背面１２１から離れる方向へ移動し、通路２１０から外へ抜け出る。
【００４２】
取付具３００が回転するとき、連結部３０１と第二腕部３０３との連結部分は、ブリッジ部２１１と底壁面２０１との間に配置されている。ブリッジ部２１１は、第一直壁面２０２および第二直壁面２０３の下端にのみ連結されている。増幅器１００Ａの上下方向におけるブリッジ部２１１の延在長さは、通路２１０と比較して、大幅に小さい。ブリッジ部２１１の寸法を制限することにより、取付具３００の回転がブリッジ部２１１によって妨げられることはなく、取付具３００はスムーズに回転する。ブリッジ部２１１は、固定部２００に取付具３００が組み付けられた状態での取付具３００の回転を許容するように、形成されている。
【００４３】
図１２は、増幅器１００Ａに取付具３００を取り付ける動作の第４ステップを示す斜視図である。図１３は、増幅器１００Ａに取付具３００を取り付ける動作の第４ステップを示す背面図である。増幅器１００Ａに取付具３００を取り付ける動作の第４ステップにおいては、図１２，１３に示すように、取付具３００が９０°の回転を完了している。この状態で連結部３０１は、本体部１２０の背面１２１に沿って、上下方向に延びている。第一腕部３０２と第二腕部３０３とは、背面１２１に対して垂直に延び、増幅器１００Ａの前後方向に延びている。第二腕部３０３は、ブリッジ部２１１の直ぐ上方に配置されている。
【００４４】
図１４は、増幅器１００Ａに取付具３００を取り付ける動作の第５ステップを示す斜視図である。図１５は、増幅器１００Ａに取付具３００を取り付ける動作の第５ステップを示す背面図である。増幅器１００Ａに取付具３００を取り付ける動作の第５ステップにおいては、図１４，１５に示すように、取付具３００を通路２１０に沿って上方にスライド移動する。図１２，１３に示す第４ステップと比較して、第５ステップでは、取付具３００の第二腕部３０３がブリッジ部２１１から上方に離れ、第一腕部３０２がブリッジ部２１１に近く配置されている。
【００４５】
図１６は、増幅器１００Ａに取付具３００を取り付ける動作の第６ステップを示す斜視図である。図１７は、増幅器１００Ａに取付具３００を取り付ける動作の第６ステップを示す背面図である。増幅器１００Ａに取付具３００を取り付ける動作の第６ステップにおいては、図１６，１７に示すように、取付具３００をさらに上方へ移動し、第一腕部３０２を窪み部２３０の内部へ移動する。第一腕部３０２は、窪み部２３０内に収容されて、固定部２００によって増幅器１００Ａの左右方向に移動不可能に支持されている。窪み部２３０よりも第一直壁面２０２の近くに設けられた受け突起２３１によって、窪み部２３０内に収容された第一腕部３０２の窪み部２３０からの外れが抑制されている。
【００４６】
この時点で、取付具３００の第二腕部３０３は、増幅器１００Ａの左右方向において、依然として第一直壁面２０２と第二直壁面２０３との間に配置されている。
【００４７】
図１８は、増幅器１００Ａに取付具３００を取り付ける動作の第７ステップを示す斜視図である。図１９は、増幅器１００Ａに取付具３００を取り付ける動作の第７ステップを示す背面図である。増幅器１００Ａに取付具３００を取り付ける動作の第７ステップにおいては、図１８，１９に示すように、取付具３００の第二腕部３０３を左方向へ移動する。このとき連結部３０１は、底壁面２０１と対向壁面２０４との間の収容空間２２０内へ移動する。これにより、固定部２００の水平取付部への取付具３００の取り付けが完了する。この時点で取付具３００の連結部３０１は、増幅器１００Ａの上下方向に延びて配置されている。
【００４８】
図２０は、図１９中に示すＸＸ−ＸＸ線に沿う増幅器１００Ａの断面図である。図２１は、図２０中に示す領域ＸＸＩを拡大して示す断面図である。図１９，２０には、増幅器１００Ａの固定部２００へ取付具３００を取り付け完了した状態における、図４，５と同じ断面が図示されている。
【００４９】
図２０，２１に示すように、増幅器１００Ａへの取付具３００の取り付けを完了した状態において、連結部３０１は、対向壁面２０４に形成された係止突起２２１よりも第三直壁面２０５に近く配置されている。取り付け動作の最終の第７ステップにおいて、連結部３０１は、底壁面２０１と係止突起２２１との間の幅の狭い空間を乗り越えて、係止突起２２１よりも第三直壁面２０５側に移動する。取り付け完了後の状態では、係止突起２２１によって、連結部３０１の収容空間２２０からの外れが抑制されている。
【００５０】
図２２は、実施形態の増幅器１００Ａを水平ポールＨＰに取り付けた状態を示す斜視図である。取付具３００には、押さえ金具３１１が組み付けられている。押さえ金具３１１は、取付具３００の第一腕部３０２と第二腕部３０３とを橋渡すように、取付具３００に取り付けられている。押さえ金具３１１の、第二腕部３０３に取り付けられる部分には、貫通孔が形成されており、この貫通孔に第二腕部３０３が挿通されている。押さえ金具３１１の、第一腕部３０２に取り付けられる部分には、切り欠き部が形成されており、この切り欠き部に第一腕部３０２が嵌め込まれている。第二腕部３０３には、押さえ金具３１１よりも第二腕部３０３の先端の位置に、蝶ナット３１２が取り付けられている。
【００５１】
増幅器１００Ａを水平ポールＨＰに固定する際には、押さえ金具３１１の切り欠き部が設けられた方の端部を第一腕部３０２から取り外す。その状態において、取付具３００の第一腕部３０２および第二腕部３０３の先端側から、水平ポールＨＰを第一腕部３０２と第二腕部３０３との間に挿通配置する。このとき、水平ポールＨＰは、固定部２００の水平溝部２４０に沿って、増幅器１００Ａの左右方向に延びる。第一腕部３０２は、水平ポールＨＰの下方に配置される。第二腕部３０３は、水平ポールＨＰの上方に配置される。
【００５２】
その後、押さえ金具３１１の切り欠き部が設けられた方の端部を、第一腕部３０２に形成された複数の環状溝のうちの一つに嵌め込む。増幅器１００Ａの前後方向において固定部２００と押さえ金具３１１とによって水平ポールＨＰを挟み込んで、固定部２００、第一腕部３０２、第二腕部３０３および押さえ金具３１１によって水平ポールＨＰを取り囲む。複数の環状溝のうち、水平ポールＨＰに対する増幅器１００Ａの固定に適した位置の環状溝に、押さえ金具３１１を嵌め込む。
【００５３】
この状態において、蝶ナット３１２を、第二腕部３０３に形成された雌ネジに締結する。これにより、水平ポールＨＰが固定部２００と押さえ金具３１１とによって挟み持たれることになり、水平ポールＨＰに対する増幅器１００Ａの固定が実現される。
【００５４】
図２３は、実施形態の増幅器１００Ａを垂直ポールＶＰに取り付けた状態を示す斜視図である。図２３では、上述した水平ポールＨＰに増幅器１００Ａを取り付ける場合と異なり、取付具３００の連結部３０１は、図２に示す通路２５１に挿通されている。連結部３０１は増幅器１００Ａの左右方向に延びて配置されている。第一腕部３０２および第二腕部３０３は、本体部１２０の背面１２１に対して垂直に延び、増幅器１００Ａの前後方向に延びている。
【００５５】
増幅器１００Ａを垂直ポールＶＰに固定する際には、押さえ金具３１１を第一腕部３０２から取り外した状態において、取付具３００の第一腕部３０２および第二腕部３０３の先端側から、垂直ポールＶＰを第一腕部３０２と第二腕部３０３との間に挿通配置する。このとき、垂直ポールＶＰは、固定部２００の垂直溝部２５０に沿って、増幅器１００Ａの上下方向に延びる。第一腕部３０２は、垂直ポールＶＰに対して左側に配置される。第二腕部３０３は、垂直ポールＶＰに対して右側に配置される。
【００５６】
その後、押さえ金具３１１を第一腕部３０２の環状溝に再度嵌め込み、蝶ナット３１２を第二腕部３０３の雌ネジに締結する。これにより、垂直ポールＶＰが固定部２００と押さえ金具３１１とによって挟み持たれることになり、垂直ポールＶＰに対する増幅器１００Ａの固定が実現される。
【００５７】
以上説明した本実施形態における増幅器１００Ａは、図２，３に示すように、底壁面２０１と、第一直壁面２０２と、第二直壁面２０３と、ブリッジ部２１１とを有している。底壁面２０１は、本体部１２０の背面１２１に沿って延びている。第一直壁面２０２は、背面１２１から離れる方向に、底壁面２０１から延びている。第一直壁面２０２は、増幅器１００Ａの上下方向に延びている。第二直壁面２０３は、第一直壁面２０２と、間隔を空けて対向している。第二直壁面２０３は、増幅器１００Ａの上下方向に延びている。ブリッジ部２１１は、第一直壁面２０２と第二直壁面２０３との両方に連結されている。ブリッジ部２１１は、底壁面２０１から離れて設けられている。
【００５８】
増幅器１００Ａの左右方向に間隔を空けて第一直壁面２０２と第二直壁面とを設けることにより、第一直壁面２０２と第二直壁面２０３との間に中空の通路２１０が形成される。この通路２１０に、ブリッジ部２１１と底壁面２０１との間を通して取付具３００を配置することにより、水平ポールＨＰへの増幅器１００Ａの固定に適した位置に取付具３００を取り付けることができる。これにより、増幅器１００Ａを、水平ポールＨＰに取り付けることができる。
【００５９】
増幅器１００Ａは、従来と同様の垂直ポールＶＰへの固定のための構造を併せて備えているので、垂直ポールＶＰへの増幅器１００Ａの固定が従来と同様に可能になっている。したがって、本実施形態の増幅器１００Ａは、垂直ポールＶＰと水平ポールＨＰとの両方に取り付けることができる。
【００６０】
また図２に示すように、増幅器１００Ａは、対向壁面２０４を有している。対向壁面２０４は、底壁面２０１と間隔を空けて対向して、増幅器１００Ａの上下方向に延びている。対向壁面２０４は、第一直壁面２０２から離れる方向に、第二直壁面２０３から延びている。図４，５に示すように、対向壁面２０４の上端部分に、底壁面２０１へ向かって突起する係止突起２２１が設けられている。
【００６１】
取付具３００を固定部２００に取り付けるときに、係止突起２２１を乗り越えて取付具３００を移動することにより、固定部２００への取り付けが完了した状態における取付具３００の保持が確立される。係止突起２２１によって、固定部２００からの取付具３００の外れが抑制されるので、取付具３００をより確実に固定部２００に取り付けることができる。
【００６２】
また図２，４および５に示すように、底壁面２０１と対向壁面２０４との間に、増幅器１００Ａの上下方向に延びる中空の収容空間２２０が形成されている。図２，３に示すように、収容空間２２０の下方に、固定部２００が上方へ向かって窪んだ窪み部２３０が形成されている。
【００６３】
取付具３００を固定部２００に取り付けるときに、取付具３００の第一腕部３０２を窪み部２３０内に収容することにより、固定部２００への取り付けが完了した状態における取付具３００の保持が確立される。窪み部２３０によって、固定部２００からの取付具３００の外れが抑制されるので、取付具３００をより確実に固定部２００に取り付けることができる。
【００６４】
また図２，３に示すように、窪み部２３０よりも第一直壁面２０２の近くに、固定部２００が下方へ突起した受け突起２３１が設けられている。
【００６５】
取付具３００の固定部２００への取り付けが完了した状態において、取付具３００の第一腕部３０２が窪み部２３０内に収容されており、受け突起２３１は窪み部２３０内に第一腕部３０２を保持する機能を奏する。これにより、固定部２００への取り付けが完了した状態における取付具３００の保持が確立される。受け突起２３１によって、固定部２００からの取付具３００の外れが抑制されるので、取付具３００をより確実に固定部２００に取り付けることができる。
【００６６】
なお上記の実施形態では、増幅器１００Ａに本考案を適用した場合を例示して説明を行なった。本考案が適用可能な電子機器は、増幅器１００Ａに限定されるものではない。たとえば、分配器、混合器、または光ケーブルを用いたシステムに使用される光・電気変換装置などに、本考案を適用してもよい。
【００６７】
以上のように本考案の実施形態について説明を行ったが、今回開示された実施形態はすべての点で例示であって制限的なものではないと考えられるべきである。本考案の範囲は上記した説明ではなく、実用新案登録請求の範囲によって示され、実用新案登録請求の範囲と均等の意味および範囲内でのすべての変更が含まれることが意図される。
【符号の説明】
【００６８】
１００Ａ  増幅器、１１０  筐体、１２０  本体部、１２１  背面、１５１，１５３  接続端子、２００  固定部、２０１  底壁面、２０２  第一直壁面、２０３  第二直壁面、２０４  対向壁面、２０５  第三直壁面、２１０，２５１  通路、２１１  ブリッジ部、２２０  収容空間、２２１  係止突起、２３０  窪み部、２３１  受け突起、２３１  突起、２４０  水平溝部、２５０  垂直溝部、３００  取付具、３０１  連結部、３０２  第一腕部、３０３  第二腕部、３１１  押さえ金具、３１２  蝶ナット、ＨＰ  水平ポール、ＶＰ  垂直ポール。
【図１】
0003197504.tif 000003
【図２】
0003197504.tif 000004
【図３】
0003197504.tif 000005
【図４】
0003197504.tif 000006
【図５】
0003197504.tif 000007
【図６】
0003197504.tif 000008
【図７】
0003197504.tif 000009
【図８】
0003197504.tif 000010
【図９】
0003197504.tif 000011
【図１０】
0003197504.tif 000012
【図１１】
0003197504.tif 000013
【図１２】
0003197504.tif 000014
【図１３】
0003197504.tif 000015
【図１４】
0003197504.tif 000016
【図１５】
0003197504.tif 000017
【図１６】
0003197504.tif 000018
【図１７】
0003197504.tif 000019
【図１８】
0003197504.tif 000020
【図１９】
0003197504.tif 000021
【図２０】
0003197504.tif 000022
【図２１】
0003197504.tif 000023
【図２２】
0003197504.tif 000024
【図２３】
0003197504.tif 000025